(57)【要約】【課題】見出しが分類機能を適切に奏することができ、耐久性が良好な冊子状物を提供する。【解決手段】冊子状物１は、複数の紙葉２が綴じられて形成されている。紙葉２は、１辺である辺６ａが綴じ辺として綴じられる紙葉体５を有する。また、紙葉体５の綴じ辺以外の少なくとも１辺から外側へ突出し互いに隣接して配置された複数の突出部９を備える。各突出部９は、紙葉体５と接する第１接続部１１と、隣接する他の突出部９と接する第２接続部１２とを有する。第１接続部１１および第２接続部１２は、表裏面に貫通された複数の貫通部１３，１４が所定の間隔で離間して配置され、これら貫通部１３，１４に沿って切断可能である。【選択図】図１
2014233917.tif 000002
【特許請求の範囲】
【請求項１】
複数の紙葉が綴じられた冊子状物であって、
前記紙葉は、複数の辺を有しこれら複数の辺のうちの１辺が綴じ辺として綴じられる紙葉体と、前記紙葉体の綴じ辺以外の少なくとも１辺から外側へ突出し互いに隣接して配置された複数の突出部とを備え、
各突出部は、前記紙葉体と接する第１接続部と、隣接する他の突出部と接する第２接続部とを有し、
前記第１接続部および第２接続部は、表裏面に貫通された複数の貫通部が所定の間隔で離間して配置されて形成され、これら貫通部に沿って切断可能である
ことを特徴とする冊子状物。
【請求項２】
各貫通部は、線状であり、
第１接続部の貫通部の長さは、第２接続部の貫通部の長さよりも短い
ことを特徴とする請求項１記載の冊子状物。
【請求項３】
第１接続部の貫通部同士の離間間隔は、第２接続部の貫通部同士の離間間隔よりも長い
ことを特徴とする請求項１または２記載の冊子状物。
【請求項４】
第１接続部と第２接続部とが交差している
ことを特徴とする請求項１ないし３いずれか一記載の冊子状物。
【請求項５】
各突出部は、一の突出部の第１接続部と、隣接する他の突出部の第１接続部とが同一直線上に位置していない
ことを特徴とする請求項１ないし４いずれか一記載の冊子状物。
【発明の詳細な説明】
【技術分野】
【０００１】
本発明は、複数の紙葉が綴じられた冊子状物に関する。
【背景技術】
【０００２】
従来から、所望の頁の紙葉に目印を付する手段として、紙葉の１辺の任意の箇所にシールを貼り付けて見出し（タブ）として利用するシール式の見出し部材が知られている。
【０００３】
このようなシール式の見出し部材では、貼り付けられたシールの分だけ冊子状物の厚みが厚くなってしまう。また一般的に、シールが冊子状物の表紙より外側に突出するため、この状態で長く使用すると、シール、および、紙葉におけるシールが貼り付けられた箇所の近傍が破損してしまう問題があった。
【０００４】
そこで、複数の紙葉が綴じられた冊子状物において、シール式の見出し部材を使用せずに見出しなどの目印を構成するものとしては、例えば特許文献１のように、切取線にて囲まれたコ字形の複数の切取部が紙葉の１辺に沿って等間隔に設けられた記録用紙が知られている。そして、この記録用紙は、複数の切取部のうちのいずれかを任意で切り取ることにより、この切り取った箇所が見出し（タブ）となる。
【０００５】
また、特許文献２のように、１辺にＣ字形またはコ字形の切取線が設けられた使用集積体が知られている。そして、この紙葉集積体では、切取線にて部分的に切断した箇所を１辺から外側へ突出するように折り曲げ、この突出した突出部が見出し（タブ）となる。
【０００６】
さらに、複数の紙葉が着脱自在に綴じ込まれたファイルなどにおいて、所望の紙葉に目印を付する手段としては、例えば特許文献３のように、突出部を有し紙葉と同様にファイルに綴じ込み可能な見出部付き台紙が知られている。そして、この見出部付き台紙は、目印を付したい任意の紙葉と、この紙葉と隣り合う紙葉との間に挿入されるようにファイルに綴じ込まれることで、紙葉の側縁部より外側に突出部が突出して、この突出した突出部が見出し（タブ）となる。
【先行技術文献】
【特許文献】
【０００７】
【特許文献１】実開昭６１−１６８９８０号公報
【特許文献２】実開平０５−０７２４７７号公報
【特許文献３】実開昭６１−０３０８７６号公報
【発明の概要】
【発明が解決しようとする課題】
【０００８】
しかしながら、上述の特許文献１の構成では、紙葉の１辺の全域にわたって複数の切取部が形成され、切取部を切り離すことにより切欠部を形成してこれを見出しとすることが可能なように形成されているため、そのような使用を重ねることにより、切り取らずに残った各切取線が使用者の意図に反して切断されてしまい、見出しが分類機能を適切に奏しない虞がある。
【０００９】
また、上述の特許文献２の構成では、特許文献１と同様に、使用を重ねることにより、切断せずに残った各切取線が使用者の意図に反して切断されてしまい、見出しが分類機能を適切に奏しない虞がある。また、切取線にて部分的に切断して突出部を形成するため、突出部の切断により穴部が形成され、強度が低下し耐久性が悪化してしまう問題が考えられる。
【００１０】
なお、特許文献３の構成は、複数の紙葉が着脱自在に綴じ込まれるファイルなどには適用できるが、複数の紙葉それぞれの１辺が綴じられて形成された冊子状物には適用できない。
【００１１】
本発明はこのような点に鑑みなされたもので、見出しが分類機能を適切に奏することができ、耐久性が良好な冊子状物を提供することを目的とする。
【課題を解決するための手段】
【００１２】
請求項１に記載された冊子状物は、複数の紙葉が綴じられた冊子状物であって、前記紙葉は、複数の辺を有しこれら複数の辺のうちの１辺が綴じ辺として綴じられる紙葉体と、前記紙葉体の綴じ辺以外の少なくとも１辺から外側へ突出し互いに隣接して配置された複数の突出部とを備え、各突出部は、前記紙葉体と接する第１接続部と、隣接する他の突出部と接する第２接続部とを有し、前記第１接続部および第２接続部は、表裏面に貫通された複数の貫通部が所定の間隔で離間して配置されて形成され、これら貫通部に沿って切断可能であるものである。
【００１３】
請求項２に記載された冊子状物は、請求項１記載の冊子状物において、各貫通部は、線状であり、第１接続部の貫通部の長さは、第２接続部の貫通部の長さよりも短いものである。
【００１４】
請求項３に記載された冊子状物は、請求項１または２記載の冊子状物において、第１接続部の貫通部同士の離間間隔は、第２接続部の貫通部同士の離間間隔よりも長いものである。
【００１５】
請求項４に記載された冊子状物は、請求項１ないし３いずれか一記載の冊子状物において、第１接続部と第２接続部とが交差しているものである。
【００１６】
請求項５に記載された冊子状物は、請求項１ないし４いずれか一記載の冊子状物において、各突出部は、一の突出部の第１接続部と、隣接する他の突出部の第１接続部とが同一直線上に位置していないものである。
【発明の効果】
【００１７】
本発明によれば、第１接続部および第２接続部が貫通部に沿って切断可能であり、不要な突出部を切り取り必要な突出部のみを残して、この残した突出部を見出しにできるため、紙葉におけるどの箇所に見出しを設けるかを任意に決定でき、使用目的に応じた分類機能を適切に奏することができるとともに、見出しの強度を向上させやすく耐久性が良好である。
【図面の簡単な説明】
【００１８】
【図１】本発明の第１の実施の形態に係る冊子状物の構成を示す平面図である。
【図２】本発明の第２の実施の形態に係る冊子状物の構成を示す平面図である。
【図３】本発明の第３の実施の形態に係る冊子状物の構成を示す平面図である。
【図４】本発明の第４の実施の形態に係る冊子状物の構成を示す平面図である。
【発明を実施するための形態】
【００１９】
以下、本発明の第１の実施の形態の構成について図１を参照しながら説明する。
【００２０】
図１において、１は例えば手帳やノートブックなどのような冊子状物を示す。この冊子状物１は、複数のシート状の紙葉２が表紙３に挟まれた状態で、例えばリングなどの綴じ具４にて綴じられている。
【００２１】
紙葉２は、矩形状の紙葉体５を備える。すなわちこの紙葉体５は、複数、例えば辺６ａ，６ｂ，６ｃおよび辺６ｃと対向する図示しない辺の４つの辺を有している。
【００２２】
また、この紙葉体５は、辺６ａの近傍に綴じ穴部７が設けられており、辺６ａが綴じ辺として綴じ具４に綴じられる。
【００２３】
さらに、紙葉体５の綴じ穴部７より内側には、表裏面に貫通された複数の穴が間欠的な線状に配置されて形成されたミシン目の切取線８が、辺６ａと平行に設けられている。
【００２４】
そして、紙葉２には、紙葉体５の綴じ辺である辺６ａと対向する辺６ｂから外側へ突出する複数の突出部９が、紙葉体５と一体に設けられている。
【００２５】
各突出部９は、辺６ｂに沿って長手方向を有する略矩形状である。
【００２６】
これら突出部９は、辺６ｂに沿って隣接し互いに接続された状態で辺６ｂの全域にわたって配置されている。
【００２７】
なお、突出部９は、視認性や他の突出部９との識別性を向上させるために、複数の異なる色を用いるか、１つの色の濃淡により、突出部９それぞれの色彩が異なるようにしてもよい。
【００２８】
各突出部９は、紙葉体５と接する第１接続部１１と、隣接する他の突出部９と接する第２接続部１２とを有する。
【００２９】
第１接続部１１は、辺６ｂ上において、表裏面に貫通された複数の線状の貫通部１３が辺６ｂに沿って所定の間隔で離間して配置されて形成されている。
【００３０】
すなわち、第１接続部１１は、貫通部１３によって形成されたミシン目のように間欠的な線状であり、紙葉体５と突出部９とは、第１接続部１１における貫通部１３間である非貫通部分にて接続されている。また第１接続部１１は、紙葉体５と突出部９との境界線である。
【００３１】
貫通部１３の長さは例えば０．３５ｍｍであり、貫通部１３同士の間隔は例えば０．１５ｍｍである。なお、貫通部１３の長さや間隔は、上記の数値に限定されず適宜設定可能であり、また、全ての貫通部１３の長さや間隔が同じでなくてもよい。
【００３２】
第１接続部１１は、貫通部１３に沿って切断可能であり、第１接続部１１を切断することにより、紙葉体５と突出部９とが切り離される。
【００３３】
なお、一定の長さの第１接続部１１において、貫通部１３を短くして、それに応じて非貫通部分を長くするかまたは非貫通部分の数を増やすことにより、各非貫通部分の総面積を大きくすることで、紙葉体５と突出部９との接続強度が高くなる。また、貫通部１３の幅を細くすると、第１接続部１１における空隙部分（孔）の総面積が小さくなるため、紙葉体５と突出部９との接続強度が高くなる。このように、第１接続部１１の貫通部１３の長さや幅や間隔などによって、紙葉体５と突出部９との接続強度が決定される。
【００３４】
第２接続部１２は、表裏面に貫通された複数の線状の貫通部１４が、辺６ｂとは垂直な方向に沿って所定の間隔で離間して配置されて形成されている。
【００３５】
すなわち、第２接続部１２は、ミシン目のように間欠的な線状であり、一の突出部９と隣接する他の突出部９とは、第２接続部１２における貫通部１４間である非貫通部分にて接続されている。また、第２接続部１２は突出部９と隣接する他の突出部９との境界線である。
【００３６】
貫通部１４の長さは例えば２ｍｍであり、貫通部１４同士の間隔は例えば０．５ｍｍである。なお、貫通部１４の長さや間隔は、上記の数値に限定されず適宜設定可能であり、また、全ての貫通部１４の長さや間隔が同じでなくてもよい。
【００３７】
第２接続部１２は、貫通部１４に沿って切断可能であり、第２接続部１２を切断することにより、突出部９と隣接する他の突出部９とが切り離される。
【００３８】
なお、一定の長さの第２接続部１２において、貫通部１４を短くして、それに応じて非貫通部分を長くするかまたは非貫通部分の数を増やすことにより、各非貫通部分の総面積を大きくすることで、突出部９と隣接する他の突出部９との接続強度が高くなる。また、貫通部１３の幅を太くすると、第２接続部１２における空隙部分（孔）の総面積が大きくなるため、突出部９と隣接する他の突出部９との接続強度が低くなる。このように、第２接続部１２の貫通部１４の長さや幅や間隔などによって、突出部９と隣接する他の突出部９との接続強度が決定される。
【００３９】
そして、第１接続部１１および第２接続部１２の両方を切断することにより、突出部９を紙葉体５から切り取ることができる。
【００４０】
また、不要な突出部９を切り取り、必要な突出部９のみを残すことにより、この残された突出部９が見出しとなる。
【００４１】
このように、突出部９の見出しとしての使用を考慮すると、突出部９同士が接続された状態が維持されることはなく、残存した突出部９と紙葉２とが接続された状態は維持される。
【００４２】
つまり、紙葉体５と突出部９との接続強度が高い程、突出部９近傍の耐久性を向上でき、使用を重ねても、見出しとして作用している突出部９が切断されにくい。
【００４３】
また、突出部９同士の接続強度が低い程、突出部９を切り取る際に切断しやすいため、操作性を向上できる。
【００４４】
そこで、第１接続部１１による紙葉体５と突出部９との接続強度が、第２接続部１２による突出部９と隣接する他の突出部９との接続強度より高い構成が好ましい。
【００４５】
より具体的には、例えば同じ強さで引っ張っても、第２接続部１２より第１接続部１１の方が切断されにくくなるように、第１接続部１１の貫通部１３の長さは、第２接続部１２の貫通部１４の長さより短い構成が好ましい。特に、例示したように第１接続部１１の貫通部１３の長さが第２接続部１２の貫通部１４の長さの数分の１以下で、貫通部１３の長さが貫通部１４の長さより著しく短いと、より好ましい。
【００４６】
次に、上記第１の実施の形態の作用および効果を説明する。
【００４７】
冊子状物１の使用に際しては、紙葉２への記入後に記入内容によって見出しとする突出部９を選択する。
【００４８】
選択されなかった突出部９に対応する位置にある第１接続部１１を貫通部１３に沿って切断することにより紙葉体５とその突出部９とを切り離すとともに、その突出部９の第２接続部１２を貫通部１４に沿って切断することによりその突出部９と隣接する他の突出部９とを切り離すことで、その突出部９が紙葉体５からも隣接する他の突出部９からも切り離される。
【００４９】
選択されなかった突出部９が切り離されることで、この突出部９を切り離した箇所の第１接続部１１が紙葉体５の端辺の一部を構成し、選択されて残された突出部９が、前記端辺から突出して見出しとなる。
【００５０】
このように、選択された突出部９を見出しとして残して他の突出部９を切り取ることが可能であるため、例えば、一の紙葉２に自由に何かを記入して、その紙葉２の一の位置にある突出部９を残してこの突出部９を見出しとした後、一の紙葉２と隣接しない他の紙葉２に、一の紙葉２に記入した内容と関連する何らかの内容を記入した際に、他の紙葉２の突出部９のうち、一の紙葉２にて残した突出部９に対応する位置の突出部９を残してこの突出部９を見出しにできる。そのため、複数の紙葉２が予め綴じられ記入内容によって紙葉２を綴じ直すことができない冊子状物１において、一の紙葉２と他の紙葉２とを隣接させることはできないものの、利用者が、残された突出部９の位置に基づいて記入内容の関連性を判断しやすくできる。
【００５１】
したがって、冊子状物１は、利用者が不要な突出部９を切り取り必要な突出部９のみを残して見出しとすることができるように形成されているため、見出しが分類機能を適切に奏することができる。
【００５２】
また、切り取る場合と切り取らない場合とをともに考慮して好適な耐久性が設計されるべきである切取線８とは異なり、第１接続部１１による紙葉体５と突出部９との接続強度に起因する第１接続部１１近傍の耐久性は、見出しとして突出部９を残存させることを第一目的として考慮して設計されればよいため、見出しの接続強度を向上させやすく、例えば見出しをつまんで頁をめくっても突出部９が意図に反して切断されにくいようにできる。
【００５３】
紙葉２は、複数の突出部９が辺６ｂに沿って互いに隣接して接続された状態で辺６ｂの全域にわたって配置されているため、突出部９を見出しとして使用しない場合には、各突出部９を切り取らずに１枚の紙葉２として使用できる。
【００５４】
また、紙葉２は、突出部９が辺６ｂに沿って長手方向を有する矩形状であり、複数の突出部９が辺６ｂに沿って互いに隣接して配置されているため、長さが限られている紙葉体５の一辺である辺６ｂにおいて、第１接続部１１の長さをできるだけ大きく確保して、突出部９の長さをできるだけ大きくできるため、見出しとしての突出部９の視認性を向上できる。
【００５５】
突出部９は、第１接続部１１の貫通部１３の長さが、第２接続部１２の貫通部１４の長さより短いことにより、第１接続部１１による紙葉体５と突出部９との接続強度が、第２接続部１２による突出部９と隣接する他の突出部９との接続強度より高くなるため、見出しとして作用する突出部９を意図に反して切断されにくくできるとともに、見出しの耐久性を向上できる。また、同じ強さで引っ張っても第１接続部１１の方が切断されにくいので、第２接続部１２の切断によって第１接続部１１が一緒に切断されることを防止できる。
【００５６】
なお、上記第１の実施の形態では、複数の紙葉２がリングなどの綴じ具４にて綴じられた構成としたが、このような構成には限定されず、複数の紙葉２を綴じる手段は、例えば糊やテープや溶着など、紙葉２を冊子状に綴じることができる手段であればよい。
【００５７】
また、表紙３の形状や紙材は適宜選択できるが、紙葉２のめくりやすさを考慮すると、通常の表紙３の紙材より薄いものが好ましい。
【００５８】
突出部９は、紙葉体５の綴じ辺である辺６ａに対向する辺６ｂに設けられた構成としたが、このような構成には限定されず、綴じ辺以外の少なくとも一辺に設けられた構成であればよい。
【００５９】
次に、第２の実施の形態を図２を参照して説明する。なお、上記第１の実施の形態と同一の構成及び作用については、同一符号を付してその説明を省略する。
【００６０】
図２に示すように、第２の実施の形態では、第１接続部２１の貫通部２２同士の離間間隔が、第２接続部２３の貫通部２４同士の離間間隔より長い。
【００６１】
すなわち、第１接続部２１による紙葉体５と突出部９との接続強度が、第２接続部２３による突出部９と隣接する他の突出部９との接続強度より高くなるように、第１接続部２１における非貫通部分の長さが、第２接続部２３における非貫通部分の長さより長い。
【００６２】
特に、第１接続部２１の貫通部２２同士の離間間隔が、第２接続部２３の貫通部２４同士の離間間隔の数倍以上であり、第１接続部２１の貫通部２２同士の離間間隔が、第２接続部２３の貫通部２４同士の離間間隔より著しく長いと、より好ましい。
【００６３】
このように、第１接続部２１の貫通部２２同士の離間間隔が、第２接続部２３の貫通部２４同士の離間間隔より長いことにより、第１接続部２１による紙葉体５と突出部９との接続強度を、第２接続部２３による突出部９と隣接する他の突出部９との接続強度より高くできる。そのため、併存させることが少ない隣接する突出部９を互いに切り離すことを容易にできるとともに見出しとして作用させるために切断せずに残した突出部９が意図に反して切断されにくくでき、見出しの選択性と耐久性とをともに向上できる。また、同じ強さで引っ張っても第２接続部２３より第１接続部２１の方が切断されにくいので、第２接続部２３の切断によって第１接続部２１が一緒に切断されてしまうことを防止できる。
【００６４】
次に、第３の実施の形態を図３を参照して説明する。なお、上記の実施の形態と同一の構成及び作用については、同一符号を付してその説明を省略する。
【００６５】
図３に示すように、第３の実施の形態では、第１接続部３１と第２接続部３２とが交差している。すなわち、貫通部３４が配置された線状の第２接続部３２は、貫通部３３が配置された線状の第１接続部３１を越えるように、紙葉体５における辺６ｂより内側まで形成されている。
【００６６】
このように第１接続部３１と第２接続部３２とが交差することにより、一の突出部９を切り取るために第１接続部３１を切断する際に、第１接続部３１と第２接続部３２とが交差する箇所で切断に係る力が分散されるため、隣接する他の突出部９の第１接続部３１も連続して一緒に切断されてしまうことを防止できる。したがって、他の突出部９が誤って切り取られてしまうことを防止できる。
【００６７】
次に、第４の実施の形態を図４を参照して説明する。なお、上記の実施の形態と同一の構成及び作用については、同一符号を付してその説明を省略する。
【００６８】
図４に示すように、第４の実施の形態では、各突出部９は、一の突出部９の第１接続部４１と、隣接する他の突出部９の第１接続部４２とが同一直線状に位置していない。
【００６９】
すなわち、貫通部４４が配置された第１接続部４１と、貫通部４５が配置された第１接続部４２とが同一線上に位置しておらず、第１接続部４１の端部は貫通部４６が配置された第２接続部４３の端部以外の箇所に接し、第１接続部４１と第２接続部４３とはそれぞれの端部同士が接している。
【００７０】
言い換えると、一の突出部９における第１接続部４１と先端部４７との距離が、隣接する他の突出部９における第１接続部４２と先端部４８との距離とは異なり、第１接続部４１と第１接続部４２とが直接接続されていない。
【００７１】
このように一の突出部９の第１接続部４１と、隣接する他の突出部９の第１接続部４２とが同一線上に位置していないことにより、一の突出部９を切り取るために第１接続部４１を切断した際に、この切断の力が隣接する他の突出部９の第１接続部４２に及びにくい。そのため、第１接続部４１と第１接続部４２とが連続して切断されにくく、一の突出部９を切り取る際に、隣接する他の突出部９の第１接続部４２が意図に反して切断されてしまうことを防止できる。
【産業上の利用可能性】
【００７２】
本発明は、例えば手帳やノートブックなどのような、複数の紙葉のそれぞれ一辺が綴じられて形成される冊子状物に利用できる。
【符号の説明】
【００７３】
１    冊子状物
２    紙葉
５    紙葉体
６ａ  辺
６ｂ  辺
６ｃ  辺
９    突出部
１１  第１接続部
１２  第２接続部
１３  貫通部
１４  貫通部
２１  第１接続部
２２  貫通部
２３  第２接続部
２４  貫通部
３１  第１接続部
３２  第２接続部
３３  貫通部
３４  貫通部
４１  第１接続部
４２  第１接続部
４３  第２接続部
４４  貫通部
４５  貫通部
４６  貫通部
【図１】
2014233917.tif 000003
【図２】
2014233917.tif 000004
【図３】
2014233917.tif 000005
【図４】
2014233917.tif 000006